(57)【要約】【課題】歯車の回転止めにより回転動力の伝達を止めるストッパ構造を備えた動力伝達機構において、歯車列の回転止めを、歯車列に大きな負荷をかけずに行えるようにする。【解決手段】動力伝達機構（歯車減速機４Ｂ）の歯車列を構成する第１の歯車４０には、これと一体的となって回転する回転カム７０が連結されている。回転カム７０には、回転カム７０からの回転動力の伝達を受けて回転する従動車８０が連結されている。従動車８０は、蓋ケース２０に回転可能に支持されており、かつ回転カム７０との間に回転カム７０を回転止めして第１の歯車４０の回転止めをすることのできるストッパ構造が形成されている。ストッパ構造は、従動車８０が回転カム７０からの回転動力の伝達を受けて回転し、その外周部に形成された凸部８２に回転カム７０の操作突起７１が当接する回転位置関係となることで、回転カム７０の回転を係止させる構成となっている。【選択図】図２
2011017369.tif 000002
【特許請求の範囲】
【請求項１】
歯車列により回転動力の伝達を行う動力伝達機構において、
前記歯車列を構成する一の歯車には該歯車と一体的に或いは該歯車からの回転動力の伝達を受けて回転する駆動車が連結されており、該駆動車には該駆動車からの回転動力の伝達を受けて運動する従動体が連結されており、
該従動体は前記歯車列を支えるケース体に支持されており、かつ前記駆動車との間に該駆動車を回転止めして前記一の歯車の回転止めをすることのできるストッパ構造が形成されており、該ストッパ構造は前記従動体が前記駆動車からの回転動力の伝達を受けて運動し該駆動車に対する相対的な配置関係が所定の配置関係となることにより前記駆動車を回転方向に突き当てて係止させた状態にして前記駆動車の回転を係止させた状態に保持する構成となっていることを特徴とする動力伝達機構。
【請求項２】
請求項１に記載の動力伝達機構において、
前記駆動車が前記一の歯車と同軸回りに一体的となって回転するよう配設され、前記従動体が前記一の歯車に回転動力伝達可能に連結された他の歯車と同軸回りに回転するように該他の歯車の回転軸を内部に貫通させるリング形状とされて該他の歯車の回転軸と同軸上の位置に配設されて前記ケース体により回転可能に支持されていることを特徴とする動力伝達機構。
【請求項３】
請求項１又は請求項２に記載の動力伝達機構において、
前記駆動車はカム状に外周部の一部に突出した操作突起を備えた構成とされ、前記従動体は前記駆動車の回転に伴い該駆動車の操作突起を受け入れて押し動かされる凹部がその運動移動方向に繰り返し形成された構成とされ、前記駆動車はその回転により前記操作突起が前記従動体の凹部内に入り込む時には該凹部内の凹み面を押圧して該従動体を押し動かすが、前記操作突起が前記従動体に対して前記凹部の形成領域から外れた凸部の形成領域に当たる時には該凸部に突き当たって前記従動体を押し動かすことなく回転が係止されるようになっていることを特徴とする動力伝達機構。
【発明の詳細な説明】
【技術分野】
【０００１】
本発明は、動力伝達機構に関する。詳しくは、歯車列により回転動力の伝達を行う動力伝達機構に関する。
【背景技術】
【０００２】
従来、歯車列により回転動力の伝達を行う動力伝達機構において、歯車を回転止めした状態にして回転動力の伝達を止めるストッパ構造が設けられているものが知られている。ここで、下記特許文献１には、互いに噛合する二枚の歯車間に、両歯車の噛合回転により互いに突き当たって係止した状態となって両歯車を回転止めした状態にするストッパ構造が開示されている。
【０００３】
同開示のストッパ構造は、互いに噛合する一方の歯車に同歯車と同軸回りに一体的となって回転するカムが設けられ、他方の歯車にこの歯車と同軸回りに一体的となって回転する円板状の係止体が設けられて構成されており、カムが一方の歯車と一体的となって何周か回転することにより、その突起部が他方の歯車と一体的となって回転する係止体の突起部と合致して突き当たり、両歯車が回転止めされる構成となっている。
【先行技術文献】
【特許文献】
【０００４】
【特許文献１】特開２００１−３４０１５３号公報
【発明の概要】
【発明が解決しようとする課題】
【０００５】
しかし、上記開示の従来技術では、カムと係止体とが回転により互いに突き当たって係止されることにより、係る反発力によって一方の歯車と他方の歯車とが互いに引き離される方向に負荷を受ける構成となっているため、両歯車の支持強度を強固にしなければならないという問題が生じる。
【０００６】
本発明は、上記した問題を解決するものとして創案されたものであって、本発明が解決しようとする課題は、歯車の回転止めにより回転動力の伝達を止めるストッパ構造を備えた動力伝達機構において、歯車列の回転止めを、歯車列に大きな負荷をかけずに行えるようにすることにある。
【課題を解決するための手段】
【０００７】
上記課題を解決するために、本発明の動力伝達機構は次の手段をとる。
先ず、第１の発明は、歯車列により回転動力の伝達を行う動力伝達機構である。歯車列を構成する一の歯車には、この歯車と一体的に或いはこの歯車からの回転動力の伝達を受けて回転する駆動車が連結されている。駆動車には、駆動車からの回転動力の伝達を受けて運動する従動体が連結されている。従動体は、歯車列を支えるケース体に支持されており、かつ駆動車との間に駆動車を回転止めして一の歯車の回転止めをすることのできるストッパ構造が形成されている。ストッパ構造は、従動体が駆動車からの回転動力の伝達を受けて運動し、駆動車に対する相対的な配置関係が所定の配置関係となることにより、駆動車を回転方向に突き当てて係止させた状態にして、駆動車の回転を係止させた状態に保持する構成となっている。
【０００８】
この第１の発明によれば、歯車列を構成する一の歯車に連結された駆動車は、一の歯車と共に回転し、従動体に回転動力を伝達して従動体を運動させる。そして、駆動車は、従動体の駆動車に対する配置関係が所定の配置関係となることにより、従動車によって回転方向に突き当てられて係止された状態となる。このとき、従動体には、駆動車との突き当たりに伴う反発力によって、駆動車から引き離される方向に負荷がかけられる。しかし、この反発の負荷は、従動体がケース体によって支えられていることにより、ケース体によって安定した力で受け止められることとなる。したがって、歯車列の回転止めを、歯車列に大きな負荷をかけずに行うことができる。
【０００９】
次に、第２の発明は、上述した第１の発明において、駆動車が、一の歯車と同軸回りに一体的となって回転するよう配設されている。そして、従動体は、一の歯車に回転動力伝達可能に連結された他の歯車と同軸回りに回転するように、他の歯車の回転軸を内部に貫通させるリング形状とされて、他の歯車の回転軸と同軸上の位置に配設されてケース体により回転可能に支持されている。
【００１０】
この第２の発明によれば、駆動車が一の歯車と同軸上の位置に配置され、従動体が他の歯車と同軸上の位置に配置されて設けられていることにより、これら駆動車や従動体の径を大きなものにしても、これらの設置スペースを容易に確保することができるようになる。すなわち、従動体が他の歯車の回転軸を内部に貫通させるリング形状とされて、他の歯車の回転軸と同軸上の位置に配設されていることにより、従動体の径を大きくしても、従動体を他の歯車の回転軸と干渉させないように配設することができる。
【００１１】
次に、第３の発明は、上述した第１又は第２の発明において、駆動車は、カム状に外周部の一部に突出した操作突起を備えた構成とされている。従動体は、駆動車の回転に伴い、駆動車の操作突起を受け入れて押し動かされる凹部が、その運動移動方向に繰り返し形成された構成とされている。駆動車は、その回転により操作突起が従動体の凹部内に入り込む時には、凹部内の凹み面を押圧して従動体を押し動かすが、操作突起が従動体に対して凹部の形成領域から外れた凸部の形成領域に当たる時には、凸部に突き当たって従動体を押し動かすことなく回転が係止されるようになっている。
【００１２】
この第３の発明によれば、従動体は、その外周部に凹み形成された凹部内に駆動車の操作突起が回転により入り込む時には、この操作突起によって凹部の凹み面が押圧されて動かされる。しかし、従動体は、その凹部の形成領域から外れた凸部の形成領域に駆動車の操作突起が回転により当てられる時には、この凸部によって操作突起の回転を受け止めて係止させ、駆動車を回転止めする。このように、ストッパ構造を比較的簡単な構成によって具現化して構成することができる。
【図面の簡単な説明】
【００１３】
【図１】実施例１の歯車減速機を備えた車両用シートの概略図である。
【図２】歯車減速機の分解斜視図である。
【図３】歯車減速機の組み図である。
【図４】図３のIV-IV線断面図である。
【図５】歯車減速機の内部構造図である。
【図６】駆動車の回転に伴って従動車が回転する様子を表した歯車減速機の内部構造図である。
【図７】駆動車の回転が従動車との突き当たりによって係止された状態を表した歯車減速機の内部構造図である。
【発明を実施するための形態】
【００１４】
以下に、本発明を実施するための形態について図面を用いて説明する。
【実施例１】
【００１５】
始めに、実施例１の動力伝達機構の構成について、図１〜図７を用いて説明する。本実施例の動力伝達機構は、図１に示されるように、車両用シートに設けられ、シートバックをシートクッションに対して背凭れ角度調整可能に連結する各側のリクライニング装置３，３に電気モータ４Ａの回転駆動力を減速させて出力する歯車減速機４Ｂとして適用されたものとなっている。ここで、上記した各リクライニング装置３，３は、シートバックの骨格を成すバックフレーム１の両サイド部と、シートクッションの骨格を成すクッションフレーム２の両サイド部とをそれぞれ連結している。
【００１６】
これらリクライニング装置３，３は、常時は回転止めされた状態とされており、シートバックの背凭れ角度を固定した状態に保持されている。そして、各リクライニング装置３，３は、それらの中心部に挿通されたロッド３Ａが、上述した電気モータ４Ａと歯車減速機４Ｂとからなる駆動装置４によって軸回動操作されることにより、シートバックの背凭れ角度を変動させるように駆動回転するようになっている。
【００１７】
ここで、上記した駆動装置４は、バックフレーム１の枠内部に設けられており、支持ブラケット１Ａによってバックフレーム１の図示左方側のサイドフレームに結合されて固定されている。この支持ブラケット１Ａは、補強パイプ１Ｂによって図示右方側のサイドフレームとも一体的に結合されており、両サイドフレームに対して強固に一体的に結合されている。そして、上記したリクライニング装置３，３同士を連結するロッド３Ａは、上記した補強パイプ１Ｂの管内に挿通されて設けられており、補強パイプ１Ｂによって外周部が覆われた状態となって設けられている。
【００１８】
上記したシートバックは、電気モータ４Ａの駆動回転に伴って、その背凭れ角度が前方側に起こし上げられたり後方側に倒し込まれたりするよう回転操作されるようになっている。そして、このシートバックの前方側或いは後方側への回転移動は、歯車減速機４Ｂの内部に設けられたストッパ構造によって、それぞれ所定の前方回転位置や後方回転位置で係止されるようになっている。
【００１９】
以下、上記した歯車減速機４Ｂ及びその内部に設けられたストッパ構造の構成について、図２〜図７を用いて詳しく説明していく。ここで、歯車減速機４Ｂは、図２に示されるように、樹脂製の本体ケース１０及び蓋ケース２０と、金属製のウォーム３０と、樹脂製の第１の歯車４０及び第２の歯車６０と、金属製の伝動軸５０と、この伝動軸５０に一体的に装着された回転カム７０と、回転カム７０からの回転動力の伝達を受けて回転する中空円板状の従動車８０とを有して構成されている。ここで、蓋ケース２０が本発明のケース体に相当し、第１の歯車４０が本発明の歯車列を構成する一の歯車に相当し、第２の歯車６０が本発明の歯車列を構成する他の歯車に相当し、回転カム７０が本発明の駆動車に相当し、従動車８０が本発明の従動体に相当する。
【００２０】
上記した樹脂製の本体ケース１０、蓋ケース２０、第１の歯車４０及び第２の歯車６０には、その側面等の広い面を有した部位に、放熱部として機能する放熱溝Ｍ・・（・・は複数を表す。）が凹み状に形成されている。これにより、各樹脂部品は、それらの放熱性が高められて、樹脂成形後の残存熱による熱変形が防がれてより精度良く成形されていると共に、形状自体も薄肉化されてより軽量化されて形成されている。
【００２１】
上記した歯車減速機４Ｂは、図３に示されるように、上記した本体ケース１０と蓋ケース２０とが組み付けられてなるハウジングケースの内部に、上記した各歯車部品や軸部品が組み付けられて収容されるようになっている。そして、図５に示されるように、上記した本体ケース１０には、その頭部に形成された台座部１３に、電気モータ４Ａが取り付けられて固定されるようになっている。なお、本実施例における電気モータ４Ａは、特開２００８−８６１１０号公報等の文献に開示された公知の構成のものであるため、これについての詳細な説明は省略することとする。
【００２２】
ここで、図２に戻って、本体ケース１０は、第１の歯車４０がセットされる凹状の第１の収容凹部１１と、第２の歯車６０がセットされる凹状の第２の収容凹部１２と、前述した電気モータ４Ａがセットされる台座部１３と、蓋ケース２０にネジ締めされるネジ締め部１４・・とを有した形に形成されている。上記した第１の収容凹部１１は、後述する第１の歯車４０のウォームホイール部４１をその凹み内部に受け入れられるように、ウォームホイール部４１の外径よりもひとまわり大きな外径を有した凹形状に形成されている。そして、この第１の収容凹部１１の中心部には、後述する伝動軸５０の一端部を受け入れて、同端部を軸回転可能に支持する第１の軸孔１１Ａが形成されている。
【００２３】
そして、上記した第１の収容凹部１１の側面には、台座部１３の中心部に図示高さ方向に真っ直ぐに貫通形成された差込口１３Ａを、第１の収容凹部１１に対して露呈させる開口窓１１Ｂが形成されている。また、第２の収容凹部１２は、上述した第１の収容凹部１１に対して段差の上がった位置に形成されており、後述する第２の歯車６０の平歯車部６４をその凹み内部に受け入れられるように、平歯車部６４の外径よりもひとまわり大きな外径を有した凹形状に形成されている。そして、図４に示されるように、上記した第２の収容凹部１２の中心部には、第２の歯車６０の中心部に突出形成された軸部６１を受け入れて、同軸部６１を軸回転可能に支持する第２の軸孔１２Ａが形成されている。
【００２４】
そして、図２に戻って、上記した第２の収容凹部１２の第２の歯車６０の側面と対面する内側の側面には、同面から軸線方向に円弧状に突出する棚部１２Ｂが形成されている。この棚部１２Ｂは、第２の歯車６０の回転中心まわりに描かれる円弧型形状に形成されており、図４に示されるように、第２の歯車６０の側面を、本体ケース１０に対して全面的に接触させるのではなく、この棚部１２Ｂの形成された領域部でのみ接触させるようにして、第２の歯車６０を本体ケース１０に対して円滑に回転させられるよう支持するようになっている。
【００２５】
次に、図２に戻って、蓋ケース２０について説明する。この蓋ケース２０は、上述した本体ケース１０の第１の収容凹部１１と対面する内側の側面に軸線方向に円弧状に突出する第１の支え部２１Ａと、この第１の支え部２１Ａによって囲まれた領域の中心部に形成された第１の軸孔２１Ｂと、本体ケース１０の第２の収容凹部１２と対面する内側の側面に軸線方向に円筒状に突出する第２の支え部２２Ａと、この第２の支え部２２Ａの外周部側に第２の支え部２２Ａと同心円状に円筒状に突出する第３の支え部２３と、本体ケース１０のネジ締め部１４・・に合わせられてネジ締めされるネジ締め部２４・・とを有した形に形成されている。
【００２６】
上記した第１の支え部２１Ａは、第１の歯車４０の平歯車部４２を軸線方向に受け入れて、この平歯車部４２の外周面をその内周面によって当てがえて、平歯車部４２が軸ズレ移動しないように支持する機能部位となっている。また、第１の軸孔２１Ｂは、前述した伝動軸５０の他端部を受け入れて、同端部を軸回転可能に支持する機能部位となっている。また、第２の支え部２２Ａは、その円筒内に第２の歯車６０の中心部に突出形成された軸部６２を受け入れて、同軸部６２を軸回転可能に支持する機能部位となっている。
【００２７】
なお、第２の支え部２２Ａは、その円筒内部が軸線方向に貫通した形状となっており、この円筒内に前述したロッド３Ａ（図１参照）を軸線方向に貫通させて挿通させられるようになっている。また、第３の支え部２３は、その円筒部に従動車８０の中心部に貫通形成された貫通孔８０Ａを軸線方向に受け入れて、従動車８０を内周側から軸回転可能に支持する機能部位となっている。
【００２８】
ここで、上記した第３の支え部２３の外周部には、外周側に向かってフランジ状に突出する座部２３Ａが全周に亘って形成されている。この座部２３Ａは、図４に示されるように、第３の支え部２３に従動車８０が挿通された際に、従動車８０の内周縁側の板面と接触して、従動車８０の同方向への移動を規制するようになっており、従動車８０の板面を蓋ケース２０に対して全面的に接触させるのではなく、この座部２３Ａの形成された領域部でのみ接触させるようにして、従動車８０を蓋ケース２０に対して円滑に回転させられるよう支持するようになっている。
【００２９】
続いて、図２に戻って、上記した本体ケース１０と蓋ケース２０との間に組み付けられる各歯車部品や軸部品の構成について説明する。先ず、ウォーム３０の構成について説明する。すなわち、ウォーム３０は、金属製の丸棒状部材にネジ状の歯３１が切られた公知の構成となっている。このウォーム３０は、本体ケース１０の台座部１３に真っ直ぐ下方側に向かって貫通形成された差込口１３Ａ内に差し込まれて組み付けられ、上記したネジ状に切られた歯３１が本体ケース１０の開口窓１１Ｂに露呈した状態となって本体ケース１０にセットされるようになっている。
【００３０】
上記したウォーム３０には、その軸の上端部に、電気モータ４Ａの回転出力軸に直結されるフレキシブルワイヤ３２が差し込まれて回転方向に一体的に装着されている。ここで、フレキシブルワイヤ３２は、細い鋼材が角筒状に巻かれて形成されており、上記したウォーム３０や電気モータ４Ａに差し込まれて連結される両端側の形状部分が硬く巻かれ、その間の軸方向の中央部分が首振り状に撓めるように軟らかく巻かれて形成されている。
【００３１】
このフレキシブルワイヤ３２は、電気モータ４Ａの回転出力軸が、ウォーム３０の中心軸に対してある程度位置ずれして組み付けられたとしても、その中央部分を首振りさせることで、この偏心量を吸収して、電気モータ４Ａからの回転出力をウォーム３０に良好に伝達できるようになっている。次に、第１の歯車４０の構成について説明する。すなわち、第１の歯車４０は、上記したウォーム３０と噛合して回転動力の伝達を受けるウォームホイール部４１と、このウォームホイール部４１と一体的となって回転する平歯車部４２とを有し、これらが互いに同軸回りに一体的となって回転するように軸線方向に並んで形成されたものとなっている。
【００３２】
ここで、第１の歯車４０の中心部には、その支軸となる伝動軸５０が挿通される軸孔４３が軸線方向に貫通して形成されている。ここで、上記した軸孔４３の内周面や伝動軸５０の外周面には、互いに嵌合し合うセレーション状の溝が切られており、伝動軸５０を軸孔４３内に挿通することによって、伝動軸５０のセレーション形状が軸孔４３のセレーション形状と合致して、第１の歯車４０と伝動軸５０とが互いに回転方向に一体的となった状態に組み付けられるようになっている。
【００３３】
そして、上記した第１の歯車４０は、その差し込まれた伝動軸５０の一端部と他端部とが、それぞれ前述した本体ケース１０の第１の軸孔１１Ａと蓋ケース２０の第１の軸孔２１Ｂとに差し込まれて軸回転可能に支持されることにより、本体ケース１０と蓋ケース２０とに軸回転可能に支持された状態となって組み付けられるようになっている。詳しくは、第１の歯車４０は、上記した本体ケース１０に対して、ウォームホイール部４１が第１の収容凹部１１内にセットされ、その歯４１Ａが開口窓１１Ｂ内に入り込んでウォーム３０の歯３１と噛合した状態となって組み付けられるようになっている。
【００３４】
また、第１の歯車４０は、蓋ケース２０に対して、平歯車部４２が第１の支え部２１Ａによって囲まれた空間内に差し込まれた状態にセットされ、その歯４２Ａの外周面が第１の支え部２１Ａの内周面によって外周側から支えられた状態となって組み付けられるようになっている。
【００３５】
次に、第２の歯車６０の構成について説明する。この第２の歯車６０は、上述した第１の歯車４０の平歯車部４２と噛合して平歯車部４２からの回転動力の伝達を受ける平歯車部６４を有して形成されている。この第２の歯車６０は、図４に示されるように、その中心部に、本体ケース１０の第２の軸孔１２Ａ内に差し込まれて軸回転可能に支持される軸部６１と、蓋ケース２０の第２の支え部２２Ａ内に差し込まれて軸回転可能に支持される軸部６２とが、それぞれ軸線方向の一方側と他方側とに円筒形に突出して形成されている。
【００３６】
上記した第２の歯車６０は、上記した一方側の軸部６１と他方側の軸部６２とが、本体ケース１０の第２の軸孔１２Ａと蓋ケース２０の第２の支え部２２Ａとに差し込まれて軸回転可能に支持されることにより、本体ケース１０と蓋ケース２０とに軸回転可能に支持された状態となって組み付けられるようになっている。詳しくは、第２の歯車６０は、上述した組み付けにより、本体ケース１０の第２の収容凹部１２内にセットされて、その平歯車部６４の歯６４Ａが第１の歯車４０の平歯車部４２の歯４２Ａと噛合した状態となって組み付けられるようになっている。
【００３７】
ここで、第２の歯車６０の中心部には、前述した出力軸となるロッド３Ａ（図１参照）が挿通される軸孔６５が軸線方向に貫通して形成されている。ここで、上記した軸孔６５の内周面やロッド３Ａの外周面には、互いに嵌合し合うセレーション状の溝が切られており、ロッド３Ａを軸孔６５内に挿通することにより、互いのセレーション形状が合致して、ロッド３Ａが第２の歯車６０に対して回転方向に一体的となった状態に組み付けられるようになっている。したがって、以上の組み付けにより、ウォーム３０と第１の歯車４０と第２の歯車６０とロッド３Ａとが、互いに動力伝達可能に噛合した状態となって組み付けられることとなる。
【００３８】
これにより、歯車減速機４Ｂは、電気モータ４Ａから出力された回転動力を、ウォーム３０とウォームホイール部４１との間の歯数差や、第１の歯車４０の平歯車部４２と第２の歯車６０の平歯車部６４との間の歯数差によって、それぞれの歯数差に応じた減速比で減速させた状態にしてロッド３Ａに出力するようになっている。次に、図２に戻って、上記した歯車減速機４Ｂの回転止め構造（ストッパ構造）を構成する回転カム７０及び従動車８０の構成について説明する。
【００３９】
ここで、上記した回転カム７０は、前述したように、伝動軸５０に一体的に装着されて設けられている。この回転カム７０は、その外周部の一部に半径方向外方側に突出した山状の操作突起７１が形成されており、この操作突起７１によって従動車８０を押圧して回転操作する構成となっている。一方、従動車８０は、その中心部に正円状の貫通孔８０Ａが貫通して形成されており、この貫通孔８０Ａ内に前述した蓋ケース２０に形成された円筒状の第３の支え部２３を差し込むことにより、その板面が第３の支え部２３の外周部に形成されたフランジ状の座部２３Ａと当接した状態で、第３の支え部２３にセットされるようになっている。これにより、図４に示されるように、従動車８０は、その配置が回転カム７０と同じ軸線方向位置に並んだ状態として、第３の支え部２３に対して軸回転可能に支えられた状態となってセットされるようになっている。
【００４０】
ここで、図２に戻って、蓋ケース２０の図示下端側の内周面部には、ひれ状に突出する保持ひれ２５が一体的に設けられている。この保持ひれ２５は、樹脂やゴム等の可撓性を有した弾性部材によって形成されており、図６に示されるように、蓋ケース２０に従動車８０がセットされることにより、この従動車８０の外周部に弾性的に押し当てられて、従動車８０が自由状態時に空転しないように弾性的に押さえ付けて保持するようになっている。
【００４１】
ところで、上記した従動車８０は、その外周部に、円周方向に等間隔に起伏を繰り返す連続した山面を形成する複数の凹部８１・・と、山面のない滑らかな円弧面を形成する凸部８２とが形成されている。上記した各凹部８１・・は、従動車８０の外周部から傾斜状に凹み込む形に形成されており、回転カム７０の回転に伴ってそれらの内部に操作突起７１を受け入れて、操作突起７１によって押し回される機能部位となっている。
【００４２】
これにより、従動車８０は、回転カム７０の回転運動に連動して、回転カム７０が１回転する毎に操作突起７１によって凹部８１・・の一山分（１ピッチ分）ずつ回転操作されるようになっている。一方、後者の凸部８２は、図７に示されるように、回転カム７０の回転運動に伴って従動車８０が回されて、回転する操作突起７１と当たる関係の回転位置状態となることにより、操作突起７１をその回転方向に突き当てた状態にして、回転カム７０の回転運動を係止させるようになっている。なお、図７では、回転カム７０が図示時計回り方向に回転して、従動車８０がこの回転によって図示反時計回り方向に回されて、回転カム７０の操作突起７１が従動車８０の凸部８２に当接した状態が示されている。
【００４３】
この係止状態では、操作突起７１が従動車８０の凸部８２に突き当てられて、その突き当たった回転方向に強い力がかけられても、この力は、従動車８０を軸ズレさせる方向に押圧しようとしかしないため、従動車８０はこの押圧力を受けても押し回されることはなく、回転カム７０は安定した力で回転止めされた状態に保持されるようになっている。詳しくは、従動車８０は、前述したように蓋ケース２０に形成された第３の支え部２３によって内周側から支えられた構成となっているため、上記のような軸ズレ方向の負荷を受けても、蓋ケース２０自体によって安定した力で受け止められるようになっている。
【００４４】
すなわち、従動車８０は、第２の歯車６０等の歯車列を構成する軸部材によって支えられているのではなく、蓋ケース２０自体によって直接支えられた構成となっているため、上記のような軸ズレ方向の負荷を受けても、この負荷を第２の歯車６０等の歯車列に伝達してしまうことなく、蓋ケース２０によって軸ズレ移動しないように安定した力で受け止められるようになっている。
【００４５】
そしてこれにより、回転カム７０と一体的となって回転する第１歯車の回転も止められた状態に保持されて、歯車減速機４Ｂにおける回転動力の伝達が止められた状態に保持されることとなる。なお、上記では、図６〜図７を用いて、回転カム７０が図示時計回り方向に回転操作された時の回転止めされる構造について示したが、回転カム７０が図示反時計回り方向に回転操作された時も、上記と同様に、従動車８０が回転カム７０によって図示時計回り方向に回されて、その凸部８２が操作突起７１と当たる関係位置状態となることにより、操作突起７１を凸部８２に突き当てさせて、回転カム７０の回転運動を係止させるようになっている。
【００４６】
このように、本実施例の歯車減速機４Ｂ（動力伝達機構）によれば、第１の歯車４０は、この歯車と共に回転する回転カム７０が従動車８０を回転させて、両車が互いに突き当たって係止した状態となることにより回転止めされる。このとき、従動車８０には、回転カム７０との突き当たりに伴う反発力によって、回転カム７０から引き離される方向（軸ズレ）に負荷がかけられる。しかし、この反発力による負荷は、従動車８０が蓋ケース２０によって支えられていることにより、蓋ケース２０によって安定した力で受け止められることとなる。したがって、第１の歯車４０と第２の歯車６０とから成る歯車列の回転止めを、歯車列に大きな負荷をかけずに行うことができる。
【００４７】
また、回転カム７０が第１の歯車４０と同軸上の位置に配置され、従動車８０が第２の歯車６０と同軸上の位置に配置されて設けられていることにより、これら回転カム７０や従動車８０の径を大きなものにしても、これらの設置スペースを容易に確保することができるようになる。すなわち、従動車８０が第２の歯車６０の回転軸（軸部６２）を内部に貫通させるリング形状とされて、第２の歯車６０の回転軸（軸部６２）と同軸上の位置に配設されていることにより、従動車８０の径を大きくしても、従動車８０を第２の歯車６０の回転軸（軸部６２）と干渉させないように配設することができる。
【００４８】
また、図６に示したように、従動車８０は、その外周部に凹み形成された凹部８１・・内に回転カム７０の操作突起７１が回転により入り込む時には、この操作突起７１によって凹部８１・・の凹み面が押圧されて回転する。しかし、図７に示したように、従動車８０は、その凹部８１・・の形成領域から外れた凸部８２の形成領域に回転カム７０の操作突起７１が回転により当てられる時には、この凸部８２によって操作突起７１の回転を受け止めて係止させ、回転カム７０を回転止めする。このように、ストッパ構造を比較的簡単な構成によって具現化して構成することができる。
【００４９】
また、回転カム７０に、回転により従動車８０に回転動力を伝達する動力伝達の領域と、回転しても従動車８０に回転動力を伝達しない動力非伝達の領域とが設定されていることにより、回転カム７０の回転移動量に対する従動車８０の回転移動量を効果的に少なく抑えることができ、構成を大型化することなく歯車列の回転可動範囲を効果的に広げることができる。
【００５０】
以上、本発明の実施形態を一つの実施例を用いて説明したが、本発明は上記実施例のほか各種の形態で実施できるものである。例えば、本発明の動力伝達機構は、車両用シートを昇降させてフロアに対する設置高さを変化させるための駆動装置や、シートバックを中折れ作動させるための駆動装置や、アクティブヘッドレストを作動させるための駆動装置など、車両用シートに関連して設けられる様々な駆動装置の回転動力の伝達を行うための機構として適用することができる。
【００５１】
また、本発明の動力伝達機構は、上記した車両用シートに関連した用途以外にも、歯車列により回転動力の伝達を行うための様々な機構に適用することができる。また、上記実施例では、動力伝達機構を構成する歯車列として、第１の歯車４０の平歯車部４２と第２の歯車６０の平歯車部６４とが噛合連結されてなる歯車列を例示したが、平歯車ややまば歯車などに代表される二軸が互いに平行に配される関係となる歯車列の他、かさ歯車などの二軸が互いに交差した関係となる歯車列や、ハイポイドギアなどの二軸が互いに食い違った関係に配される歯車列に対しても、本発明のストッパ構造を適用することができる。
【００５２】
また、上記実施例では、本発明の駆動車に相当する回転カム７０が、第１の歯車４０（歯車列を構成する一の歯車）と一体的に配された構成を例示したが、駆動車は、一の歯車からの回転動力の伝達を受けて一の歯車と別体的に回転するように配されたものであってもよい。また、従動体が第２の歯車６０の回転軸（軸部６２）と同軸回りに回転するように配された従動車８０として構成されたものを例示したが、従動体は、第２の歯車６０の回転軸とは異なる軸回りに回転するように配されたものであってもよい。
【００５３】
また、従動体の運動態様は、回転運動するタイプに限定されるものではなく、駆動車からの動力伝達を受けてスライド運動するタイプのものであってもよい。すなわち、従動体は、駆動車からの回転動力の伝達を受けて運動し、駆動車に対する相対的な配置関係が所定の配置関係となることにより、駆動車を回転方向に突き当てて係止させた状態にする構成のものであれば、その運動態様は特に限定されるものではない。
【符号の説明】
【００５４】
１      バックフレーム
１Ａ    支持ブラケット
１Ｂ    補強パイプ
２      クッションフレーム
３      リクライニング装置
３Ａ    ロッド
４      駆動装置
４Ａ    電気モータ
４Ｂ    歯車減速機（動力伝達機構）
１０    本体ケース
１１    第１の収容凹部
１１Ａ  第１の軸孔
１１Ｂ  開口窓
１２    第２の収容凹部
１２Ａ  第２の軸孔
１２Ｂ  棚部
１３    台座部
１３Ａ  差込口
１４    ネジ締め部
２０    蓋ケース（ケース体）
２１Ａ  第１の支え部
２１Ｂ  第１の軸孔
２２Ａ  第２の支え部
２３    第３の支え部
２３Ａ  座部
２４    ネジ締め部
２５    保持ひれ
３０    ウォーム
３１    歯
３２    フレキシブルワイヤ
４０    第１の歯車（歯車列を構成する一の歯車）
４１    ウォームホイール部
４１Ａ  歯
４２    平歯車部
４２Ａ  歯
４３    軸孔
５０    伝動軸
６０    第２の歯車（歯車列を構成する他の歯車）
６１    軸部
６２    軸部
６４    平歯車部
６４Ａ  歯
６５    軸孔
７０    回転カム（駆動車）
７１    操作突起
８０    従動車（従動体）
８０Ａ  貫通孔
８１    凹部
８２    凸部
Ｍ      放熱溝
【図１】
2011017369.tif 000003
【図２】
2011017369.tif 000004
【図３】
2011017369.tif 000005
【図４】
2011017369.tif 000006
【図５】
2011017369.tif 000007
【図６】
2011017369.tif 000008
【図７】
2011017369.tif 000009